(57)【要約】【課題】洗濯物を乾燥させるだけでなく、洗濯物の除菌までできるようにする。【解決手段】乾燥行程中に、温風供給装置が供給する温風の温度を一時的に（３０分間）高める（５０℃→６０℃）。又、それとは異なるものとして、乾燥行程とは別に、該乾燥行程で供給する温風より高い温度の温風を槽の内部に供給する第２の温風供給行程の選択実行を可能としても良い。更に、温風の供給中に槽又は撹拌体の回転を停止する期間を設けても良い。加えて、温風を吹き込む温風吹込口の風下直先位置に洗濯物を保持する保持部材を設けるのも良い。【選択図】　図１
2004016265.tif 000002
【特許請求の範囲】
【請求項１】
洗濯物の洗濯と脱水及び乾燥に供する槽を具えると共に、その槽の内部に温風を供給する温風供給装置を具え、その温風の供給によって前記洗濯物を乾燥させる乾燥行程を実行するものにおいて、
その乾燥行程中に、前記温風供給装置が供給する温風の温度を一時的に高めるようにしたことを特徴とする洗濯乾燥機。
【請求項２】
乾燥行程中の温風の温度を一時的に高めるのを、所定の乾燥運転を行った後に実行するようにしたことを特徴とする請求項１記載の洗濯乾燥機。
【請求項３】
洗濯物の洗濯と脱水及び乾燥に供する槽を具えると共に、その槽の内部に温風を供給する温風供給装置を具え、その温風の供給によって前記洗濯物を乾燥させる乾燥行程を実行するものにおいて、
その乾燥行程とは別に、該乾燥行程で供給する温風より高い温度の温風を前記槽の内部に供給する第２の温風供給行程を設け、この第２の温風供給行程の選択実行を可能としたことを特徴とする洗濯乾燥機。
【請求項４】
温風の風量を減じることで、温風の温度を高めることを特徴とする請求項１又は３記載の洗濯乾燥機。
【請求項５】
温風を加熱生成するヒータの容量を増すことで、温風の温度を高めることを特徴とする請求項１又は３記載の洗濯乾燥機。
【請求項６】
温風を加熱生成するヒータをＰＴＣヒータとし、このＰＴＣヒータに対する風の流れを変更可能な風向変更手段を具え、この風向変更手段により風の流れをＰＴＣヒータに集めることによって、温風の温度を高めることを特徴とする請求項１又は３記載の洗濯乾燥機。
【請求項７】
洗濯物の洗濯と脱水及び乾燥に供する槽を具えると共に、その槽の内部に温風を供給する温風供給装置を具え、その温風の供給中に前記槽又はその槽内に設けた撹拌体を回転させるようにしたものにおいて、
前記温風の供給中に前記槽又は撹拌体の回転を停止する期間を設けたことを特徴とする洗濯乾燥機。
【請求項８】
槽又は撹拌体を回転させるのとそれらの回転を停止させるのとを交互に実行することを特徴とする請求項７記載の洗濯乾燥機。
【請求項９】
洗濯物の洗濯と脱水及び乾燥に供する槽を具えると共に、その槽の内部に温風を吹き込み供給する温風供給装置を具え、その温風の供給によって前記洗濯物を乾燥させる乾燥行程を実行するものにおいて、
前記温風を吹き込む温風吹込口の風下直先位置に洗濯物を保持する保持部材を有することを特徴とする洗濯乾燥機。
【発明の詳細な説明】
【０００１】
【発明の属する技術分野】
本発明は、洗濯物の除菌をする改良をした洗濯乾燥機に関する。
【０００２】
【従来の技術】
近年、洗濯物の洗濯と脱水とができるだけでなく、乾燥までできる洗濯乾燥機が供されている。この洗濯乾燥機においては、洗濯物の洗濯と脱水及び乾燥に供する槽が具えられると共に、その槽の内部に温風を供給する温風供給装置が具えられ、その温風の供給によって前記洗濯物を乾燥させる乾燥行程が実行されるようになっている。
【０００３】
そして、その乾燥行程は長時間を要するもので、その長時間、洗濯物に温風が触れるため、温風の温度は、布縮みなど洗濯物への熱影響を考慮して、乾燥に必要なだけの適度な温度（例えば５０℃）に設定されている。又、このような温度に設定することにより、洗濯乾燥機中の温風が触れる部分の構成部品に耐熱性の低い安価なものを使用できる利点がある。
【０００４】
【発明が解決しようとする課題】
上記従来の洗濯乾燥機は、乾燥機能について、単に洗濯物を乾燥させるだけのものであった。
本発明は上述の事情に鑑みてなされたものであり、従ってその目的は、洗濯物を乾燥させるだけでなく、洗濯物の除菌までできる洗濯乾燥機を提供するにある。
【０００５】
【課題を解決するための手段】
上記目的を達成するために、本発明の洗濯乾燥機は、第１に、洗濯物の洗濯と脱水及び乾燥に供する槽を具えると共に、その槽の内部に温風を供給する温風供給装置を具え、その温風の供給によって前記洗濯物を乾燥させる乾燥行程を実行するものにおいて、その乾燥行程中に、前記温風供給装置が供給する温風の温度を一時的に高めるようにしたことを特徴とする（請求項１の発明）。
【０００６】
このものによれば、乾燥行程中、一時的に温度が高められた温風の熱で洗濯物の除菌ができる。又、その温風の温度が高められるのは一時的であるため、洗濯物に布縮み等の熱被害を与えず、洗濯乾燥機中の温風が触れる部分の構成部品に耐熱性の高いものを使用することを必要ともしない。
【０００７】
この場合、乾燥行程中の温風の温度を一時的に高めるのは、所定の乾燥運転を行った後に実行するようにすると良い（請求項２の発明）。
このものでは、洗濯物の乾燥がある程度進んで洗濯物が温められてから、更にその洗濯物にそれより高い熱を与えることができる（高い熱が洗濯物を乾燥させるのに費やされることがない）ので、その高い熱を洗濯物に効果的に与えることができて、洗濯物の除菌が効果的にできる。
【０００８】
本発明の洗濯乾燥機は、第２に、洗濯物の洗濯と脱水及び乾燥に供する槽を具えると共に、その槽の内部に温風を供給する温風供給装置を具え、その温風の供給によって前記洗濯物を乾燥させる乾燥行程を実行するものにおいて、その乾燥行程とは別に、該乾燥行程で供給する温風より高い温度の温風を前記槽の内部に供給する第２の温風供給行程を設け、この第２の温風供給行程の選択実行を可能としたことを特徴とする（請求項３の発明）。
【０００９】
このものによれば、第２の温風供給行程を選択して実行することにより、乾燥行程で供給する温風より温度の高い温風の熱で洗濯物の除菌ができる。又、この第２の温風供給行程は、乾燥行程とは別であるから、その所要時間の長さは独自に定めることができ、従って、この場合も、洗濯物に布縮み等の熱被害を与えず、洗濯乾燥機中の温風が触れる部分の構成部品に耐熱性の高いものを使用することを必要ともしない。
【００１０】
これら第１及び第２の洗濯乾燥機（請求項１及び請求項３の発明）の場合、温風の風量を減じることで、温風の温度を高めるようにすると良い（請求項４の発明）。
又、温風を加熱生成するヒータの容量を増すことで、温風の温度を高めるようにしても良い（請求項５の発明）。
【００１１】
更に、温風を加熱生成するヒータをＰＴＣヒータとし、このＰＴＣヒータに対する風の流れを変更可能な風向変更手段を具え、この風向変更手段により風の流れをＰＴＣヒータに集めることによって、温風の温度を高めるようにしても良い（請求項６の発明）。
これらのものでは、温風の温度を高めるのを、容易且つ確実に行うことができる。
【００１２】
本発明の洗濯乾燥機は、第３に、洗濯物の洗濯と脱水及び乾燥に供する槽を具えると共に、その槽の内部に温風を供給する温風供給装置を具え、その温風の供給中に前記槽又はその槽内に設けた撹拌体を回転させるようにしたものにおいて、前記温風の供給中に前記槽又は撹拌体の回転を停止する期間を設けたことを特徴とする（請求項７の発明）。
このものによれば、槽又は撹拌体の回転を停止した期間に、温風が触れる洗濯物にその温風が集中して当たることで、該洗濯物の温度を上げ、除菌ができる。又、その洗濯物に対する温風の集中当たりは一時的もしくは断続的であり、従って、この場合も、洗濯物に布縮み等の熱被害を与えず、洗濯乾燥機中の温風が触れる部分の構成部品に耐熱性の高いものを使用することを必要ともしない。
【００１３】
この場合、槽又は撹拌体を回転させるのとそれらの回転を停止させるのとを交互に実行するようにすると良い（請求項８の発明）。
このものでは、槽又は撹拌体の回転を停止した期間に集中する温風に対して、それら槽又は撹拌体の回転がその停止と交互に行われることにより、洗濯物の入れ換えがなされ、もって、多くの洗濯物の除菌がむらなくできる。
【００１４】
本発明の洗濯乾燥機は、第４に、洗濯物の洗濯と脱水及び乾燥に供する槽を具えると共に、その槽の内部に温風を吹き込み供給する温風供給装置を具え、その温風の供給によって前記洗濯物を乾燥させる乾燥行程を実行するものにおいて、前記温風を吹き込む温風吹込口の風下直先位置に洗濯物を保持する保持部材を有することを特徴とする（請求項９の発明）。
【００１５】
このものによれば、保持部材で洗濯物を保持することにより、温風吹込口から吹き出される温風が洗濯物に集中して当たり、もって、その洗濯物の温度を上げ、除菌ができる。又、その保持部材で保持する洗濯物は、耐熱性の高いものを選択でき、そのほかの洗濯物や洗濯乾燥機構成部品には温風が普通に（集中せずに）触れるので、この場合も、洗濯物に布縮み等の熱被害を与えず、洗濯乾燥機中の温風が触れる部分の構成部品に耐熱性の高いものを使用することを必要ともしない。
【００１６】
【発明の実施の形態】
以下、本発明を温風排出式の縦軸形洗濯乾燥機に適用した第１実施例につき、図１ないし図３を参照して説明する。
まず、図３には、洗濯乾燥機の全体構成を示しており、外箱１の内部に外槽２を配設している。外槽２は有底の円筒形を成しており、一方、外箱１は下面に開口部３を有する直方体状を成していて、この外箱１の上部から吊下した複数本の吊り棒４ａを主体とする支持機構４により外槽２を縦軸状にて揺動可能に支持している。
【００１７】
外槽２の内部には、洗濯物Ｃの洗濯と脱水及び乾燥に供する槽として回転槽５を縦軸状に収容しており、この回転槽５も有底の円筒形を成し、その上縁部には回転バランサ６を設けている。又、この回転槽５の内下部には撹拌体７を配設しており、この撹拌体７と回転槽５とを選択的に回転駆動する一般にモータを主体とする駆動装置８（詳しくは図示せず）を、外槽２の外下方部に設けている。
【００１８】
一方、外槽２の上縁部にはリング状の槽カバー９を取付けており、この槽カバー９には、内蓋１０を後側（図中右側）でヒンジ１１により上下に回動可能に枢着し、その回動によって内蓋１０が槽カバー９の内側開口部１２を開閉するようにしている。
【００１９】
そして又、内蓋１０には、中央部に例えば複数の横長スリットから成る開口部１３を形成しており、これを外槽２の上部の開口部として、その裏側（内蓋１０が閉鎖した図示の状態では、下側）には、該開口部１３の全部を覆うフィルタ１４を取付けている。このフィルタ１４は、洗濯物（衣類）Ｃから散出するリント（糸屑）を捕獲する例えば目の細かい網や繊維等から成っている。
【００２０】
しかして、前記外箱１上にはトップカバー１５を装着しており、このトップカバー１５には、上記内蓋１０、ひいては回転槽５内に臨む洗濯物出入口１６を形成すると共に、該出入口１６を開閉する、この場合、２つ折り構造の蓋１７を枢着している。
【００２１】
又、このトップカバー１５の後部には、温風供給装置１８を配設している。この温風供給装置１８は、詳細には、トップカバー１５の最後部に配設した、送風羽根１９ａと、これを囲繞するケーシング１９ｂ、及び送風羽根１９ａを回転駆動するモータ１９ｃから成る送風機１９と、この送風機１９のケーシング１９ｂに連通させて該送風機１９の前方に配設したヒータケース２０、ヒータケース２０内に配設した例えばシーズ線から成るヒータ２１、及びヒータケース２０から前記槽カバー９の後部に形成した温風吹込口２２を接続した、伸縮性や可撓性に富む例えば蛇腹状の接続ホース２３から成っている。
【００２２】
そして更に、トップカバー１５の前部には、制御装置２４を配設している。この制御装置２４は、例えばマイクロコンピュータを主体に構成したもので、洗濯乾燥機の運転全般を制御する制御手段として機能するようになっている。
【００２３】
そこで、以下には、制御装置２４で制御する洗濯乾燥機の運転について述べる。
まず、洗濯行程では、洗濯物Ｃを収容した回転槽５内から外槽２内に図示しない給水装置により洗濯水を供給して溜め、この状態で、撹拌体７を回転させることにより、洗濯物Ｃを洗濯水と共に撹拌して洗濯（洗い、すすぎ）を行う。なお、周知のように、洗いは水に洗剤を含んで実行し、すすぎは水に洗剤を含まずに実行する。
【００２４】
次に、脱水行程では、回転槽５を回転させることにより、該回転槽５内の洗濯物Ｃの水分を、遠心力で、例えば回転槽５の周側部に有した多数の通孔（図示せず）から振り切って、図示しない排水弁及び排水ホースを通じ機外に排出する。
【００２５】
そして、乾燥行程では、例えば回転槽５と撹拌体７とを交互に回転させつつ、温風供給装置１８を作動させる。温風供給装置１８の作動は、送風機１９における送風羽根１９ａの回転と、ヒータ２１の発熱であり、送風羽根１９ａはその回転により、矢印で示すごとく、トップカバー１５の背部の吸気口２５から外箱１外の空気をケーシング１９ｂ内に吸入し、ヒータケース２０内に送入する。このヒータケース２０内に送入された空気は、そこで発熱中のヒータ２１により加熱されて温風化され、すなわち、温風が生成される。
【００２６】
そして、生成された温風は、接続ホース２３を通って温風吹込口２２から外槽２内に吹き込み供給され、更に回転槽５内に吹き込み供給される。このとき、回転槽５内では、該回転槽５と撹拌体７の回転により洗濯物Ｃが撹拌されており、かくして、外槽２から回転槽５内に供給された温風は回転槽５内の洗濯物Ｃと効率良く接触し、洗濯物Ｃの水分を蒸発させる。
【００２７】
そして、その洗濯物Ｃから蒸発した水分を含んだ温風が、その後、回転槽５の周側部の前記通孔や回転槽５の上端開口から出て、フィルタ１４を通り、更に、内蓋１０の開口部１３から外槽２と外箱１との間を通り、外箱１の下面の開口部３から外部に排出される。これを所定時間続けることにより、洗濯物Ｃを乾燥させる。
又、この乾燥中、洗濯物Ｃからはリントが散出し、それが温風に運ばれるようになるが、それは温風がフィルタ１４を通るところで、該フィルタ１４に捕獲される。
【００２８】
図１は、このような乾燥行程における温風の供給についての制御内容を示しており、行程の開始後９０分間は、温風の温度（温風吹込口２２からの吹出し温度）を５０℃とし、これによって通常の（洗濯物Ｃに布縮み等の熱被害を与えず、洗濯乾燥機中の温風が触れる部分の構成部品に耐熱性の高いものを使用することを必要ともしない）乾燥運転を行う。このときの温風供給装置１８における送風機１９の送風羽根１９ａの回転速度は、３２００〔ｒｐｍ〕であり、それによる風量は、図２に示すように０．８〔ｍ３／分〕である。
【００２９】
この後、３０分間は、温風の温度を６０℃に高める。このときの温風供給装置１８における送風機１９の送風羽根１９ａの回転速度は、２４００〔ｒｐｍ〕であり、このように送風羽根１９ａの回転速度を減じると、風量は、図２に示すように０．６〔ｍ３／分〕に減じられる。そして、このように、風量を減じると、ヒータケース２０内においてヒータ２１が風に与える熱量の割合が多くなって、温風の温度が高まる。すなわち、この場合には、温風の風量を減じることによって、温風の温度を６０℃に高めており、この温度を高めた温風の熱で、洗濯物Ｃの除菌がなされる。もちろん、その間、洗濯物Ｃの乾燥も進む。
【００３０】
この後、再び９０分間、送風羽根１９ａの回転速度を３２００〔ｒｐｍ〕に復して温風の温度を５０℃とし、これによって通常の乾燥運転を行う。
そして、最後に１０分間、ヒータ２１の発熱を停止させて、風（冷風）を供給することだけを続け（送風羽根１９ａの回転速度は３２００〔ｒｐｍ〕）、運転を終了する。
【００３１】
このように本構成のものでは、洗濯物の洗濯と脱水及び乾燥に供する槽（回転槽５）を具えると共に、その槽の内部に温風を供給する温風供給装置１８を具え、その温風の供給によって洗濯物を乾燥させる乾燥行程を実行するものにおいて、その乾燥行程中に、温風供給装置１８が供給する温風の温度を一時的に（全２２０分中の３０分間）高めるようにしており、それによって洗濯物の除菌ができる。
又、その場合、温風の温度を高めるといっても、それは一時的であるため、洗濯物に布縮み等の熱被害を与えず、洗濯乾燥機中の温風が触れる部分の構成部品に耐熱性の高いものを使用することを必要ともせずに済ませることができる。
【００３２】
更に、その場合、温風の温度を高めるのは、乾燥行程中の最初や最後でも良いが、特に本構成のものでは、５０℃の温風で９０分間という所定の乾燥運転を行った後に実行するようにしており、それによって、洗濯物の乾燥がある程度進んで洗濯物が温められてから、更にその洗濯物にそれより高い熱を与えることができる、換言すれば、高い熱が洗濯物を乾燥させるのに費やされることなくできるので、その高い熱を洗濯物に効果的に与えることができて、洗濯物の除菌が効果的にできる。
【００３３】
なお、温風の温度を高める前の乾燥運転は、上記９０分間等の時間に限って行うものに限られず、例えば外槽２内の温度や、もしくは回転槽５内の温度を検知する温度検知手段（例えば温度センサ）を設けて、その検知温度が所定値に達するまで行うようにしても良い。
加えて、本構成のものの場合、温風の温度を高めるのに、それを温風の風量を減じることで実現するようにしており、それによって、温風の温度を高めるのを、容易且つ確実に実行することができる。
【００３４】
以上に対して、図４ないし図１０は本発明の第２ないし第６実施例を示すもので、それぞれ、第１実施例と同一の部分には同一の符号を付して説明を省略し、異なる部分についてのみ述べる。
【００３５】
［第２実施例］
図４に示す第２実施例においては、制御装置２４で制御する洗濯乾燥機の運転内容に、通常の乾燥運転を行う乾燥行程（ａ）とは別に、該乾燥行程で供給する温風の温度（５０℃）より高い温度（６０℃）の温風を回転槽５の内部に供給する第２の温風供給行程（ｂ）を設け、この第２の温風供給行程（ｂ）の選択実行を可能としている。
【００３６】
なお、この場合、乾燥行程（ａ）は前記第１実施例の温風の温度を高めた３０分間だけを取り去ったものに等しく、第２の温風供給行程（ｂ）はその３０分間だけを実行するものに等しい。又、乾燥行程（ａ）が前述のように洗濯行程及び脱水行程など他の行程と組み合わされて実行され、もしくは単独に実行されるものであるのに対して、第２の温風供給行程（ｂ）は、もっぱら単独に実行されるようにしている。
【００３７】
このものでは、第２の温風供給行程（ｂ）を選択して実行することにより、前述同様の洗濯物の除菌ができる。又、この第２の温風供給行程（ｂ）は、乾燥行程（ａ）とは別であるから、その所要時間の長さは独自に定めることができ、従って、この場合も、洗濯物に布縮み等の熱被害を与えず、洗濯乾燥機中の温風が触れる部分の構成部品に耐熱性の高いものを使用することを必要ともせずに済ませることができる。
【００３８】
［第３実施例］
図５に示す第３実施例においては、第１実施例及び第２実施例の双方において、温風の温度を高めるのを、温風の風量を減じることで実現したのに代え、風量を変えずに、温風を加熱生成するヒータの容量を増すことで実現するようにしている。
詳細には、前述のヒータ２１に加えて、それと同じく例えばシーズ線から成るヒータ３１を設け、制御装置２４が駆動回路３２を介して、通常の乾燥運転を行うときには、ヒータ２１のみを発熱させて前記５０℃の温風を生成し、温風の温度を高めるとき（洗濯物の除菌を行うとき）には、ヒータ２１に加え、ヒータ３１をも発熱させて前記６０℃の温風を生成するようにしている。
【００３９】
このようにしても、温風の温度を高めるのを、容易且つ確実に実行することができる。
なお、この場合、具体的には、ヒータ２１の容量を例えば５００〔Ｗ〕とし、ヒータ３１の容量をそれより少なく、例えば２００〔Ｗ〕としている。
【００４０】
又、図５には、そのほか、洗濯乾燥機の運転に係る操作をするための操作パネル（図示せず）に設けた各種操作スイッチ３３と、外槽２内ひいては回転槽５内の水位を検知する水位センサ３４、蓋１７の開閉を検知する蓋スイッチ３５、及び外槽２内（回転槽５内）の温度を検知する温度センサ３６を示しており、これらのスイッチ信号又は検知信号を制御装置２４に入力するようにしている。
【００４１】
そして、それらの入力並びにあらかじめ記憶された制御プログラムに基づいて、制御装置２４は、各種表示器３７を制御すると共に、外槽２内（回転槽５内）に給水する給水弁３８と、外槽２内（回転槽５内）から排水する排水弁３９、駆動装置８、ヒータ２１、ヒータ３１、及び送風機１９を、前記駆動回路３２を介して制御するようになっている。
【００４２】
しかして、このように温風の温度を高めるのをヒータの容量を増すことで実現するには、上述のようにヒータの通電個数を増すのではなく、ヒータの通電を位相制御したり、ＰＷＭ制御したりするようにしても良い。又、このヒータの容量を増すことと、温風の風量を減じることの双方を行って、温風の温度を高めるようにしても良い。
【００４３】
［第４実施例］
図６ないし図８に示す第４実施例においては、温風を加熱生成するヒータをＰＴＣヒータ４１とし、このＰＴＣヒータ４１に対する風の流れを変更可能な変向板４２を具え、この変向板４２により風の流れをＰＴＣヒータ４１に集めることによって、温風の温度を高めるようにしている。
【００４４】
詳細には、まず、温風供給装置１８における角筒状のヒータケース４３の内部に、ＰＴＣヒータ４１と変向板４２とを、該ヒータケース４３における風の流れＷの方向に分けて（風下側にＰＴＣヒータ４１、風上側に変向板４２）配設しているが、更に、変向板４２はＰＴＣヒータ４１とは風の流れＷ方向と直交する方向の片側にずらして配設している。
【００４５】
又、変向板４２は、風の流れＷに対して、軸部４２ａを中心に角度変更可能に設けており、そして、その変向板４２の軸部４２ａには付勢手段としての捩りコイルばね４４を巻装して、該変向板４２を常時は図７に示す風の流れＷと平行な角度位置に付勢している。更に、該変向板４２の軸部４２ａには、牽引手段としてのワイヤ４５の一端部を巻き付けており、ワイヤ４５の他端部は、ギヤードモータやソレノイド等のアクチュエータ４６により牽引するようにしていて、これら変向板４２とワイヤ４５及びアクチュエータ４６により、風向変更装置４７を構成している。
【００４６】
この構成で、ワイヤ４５を牽引する前は、図７に示すように、変向板４２が風の流れＷと平行な角度位置にあって、風の流れＷは、ＰＴＣヒータ４１に接触してこれを通過するものと、接触せずにその側方を通過するものとに分かれる。このため、温風の吹き出し温度は、そのＰＴＣヒータ４１に接触してこれを通過した風と、接触せずにその側方を通過した風との混合で、低めの温度になる。
【００４７】
これに対して、ワイヤ４５を牽引すると、図８に示すように、変向板４２は風の流れＷに対して非平行な角度位置、中でも風下側がＰＴＣヒータ４１に近づく角度位置に変わり、この結果、風の流れＷは、すべてがＰＴＣヒータ４１に接触してこれを通過するように変わる。従って、変向板４２とワイヤ４５及びアクチュエータ４６（風向変更装置４７）は風向変更手段として機能する。しかして、このときの温風の吹き出し温度は、ＰＴＣヒータ４１に接触してこれを通過した風のみの温度となり、高くなる。
【００４８】
なお、ＰＴＣヒータ４１は、温度特性が正のヒータで、それに接触する風の量が少なければ、それなりに少なく発熱し、多くなれば、それなりに多く発熱して、結果、温風の温度を一定に保つ働きをする。
このようにしても、温風の温度を高めるのを、容易且つ確実に実行することができる。
【００４９】
［第５実施例］
図９に示す第５実施例においては、温風の供給中に、回転槽５又は撹拌体７の回転を停止する期間を設けている。
詳細には、例えば第１実施例の温風の温度を高めた３０分間において、その温風の温度を高めるのに代え、最初に所定時間ｔ１（例えば１分間）、回転槽５及び撹拌体７の回転を停止させる（ステップＳ１）。
次いで、回転槽５を例えば半周回転させる（ステップＳ２）。
【００５０】
次いで、再び所定時間ｔ１、回転槽５及び撹拌体７の回転を停止させる（ステップＳ３）。
次いで、所定時間ｔ２、撹拌体７を正逆両方向に交互に回転させる（ステップＳ４）。この場合、その正方向の回転は、例えば０．４秒間駆動して、１．０秒間休止し、逆方向の回転も、０．４秒間駆動して、１．０秒間休止するモードであり、これの組み合わせを、時間ｔ２の間、例えば２０回繰返す。従って、時間ｔ２は、この場合、５６秒である。
【００５１】
そしてその後、規定の３０分間が経過したか否かの判断をし（ステップＳ５）、経過していない（ＮＯ）と判断されれば、ステップＳ１に戻り、経過した（ＹＥＳ）と判断されれば、次ステップ（５０℃の温風で９０分間の通常の乾燥運転）に進む。
【００５２】
このように、温風の供給中に回転槽５又は撹拌体７の回転を停止する期間を設けることにより、その停止期間に、温風が触れる洗濯物にその温風が当たり続けることで、集中して当たる。これにより、その温風が当たった洗濯物の温度を上げ、除菌ができる。又、その洗濯物に対する温風の集中当たりは一時的もしくは断続的であり、従って、この場合も、洗濯物に布縮み等の熱被害を与えず、洗濯乾燥機中の温風が触れる部分の構成部品に耐熱性の高いものを使用することを必要ともしない。
【００５３】
加えて、この場合、回転槽５又は撹拌体７を回転させるのとそれらの回転を停止させるのとを交互に実行するようにもしている。これにより、その回転槽５又は撹拌体７が回転を停止した期間に集中する温風に対して、洗濯物の位置換えがなされる。そのひとつとしてステップＳ２では、回転槽５が半周回転されることにより、撹拌体７も一体に半周回転するが、更に洗濯物も半周回転することによって、温風吹込口２２に対する洗濯物の周方向の位置換えがなされる。又、ステップＳ４では、撹拌体７が正逆両方向に交互に回転されることにより、洗濯物の上下の位置換えがなされる。
【００５４】
かくして、多くの洗濯物に集中温風がむらなく当たるようになり、その多くの洗濯物の除菌がむらなくできる。
なお、こうした運転は、第１実施例の温風の温度を高めた３０分間において、その温風の温度を高めるのに代えて行うものに限られず、第２実施例の第２の温風供給行程（ｂ）において、温風の温度を高めるのに代えて行うようにしても良い。
【００５５】
［第６実施例］
図１０に示す第６実施例においては、温風吹込口２２の風下直先位置に洗濯物を保持する保持部材５１を設けている。
具体的には、前記槽カバー９の温風吹込口２２直下の位置に保持部材５１を取付け（概略的に図示）、その上に除菌したい洗濯物Ｃ１を置く。このようにすることにより、温風吹込口２２から吹き出される温風が保持部材５１上の洗濯物Ｃ１に集中して当たり、もって、その洗濯物Ｃ１の温度を上げ、除菌ができる。
【００５６】
又、その保持部材５１で保持する洗濯物Ｃ１は、耐熱性の高いものを選択でき、そのほかの洗濯物Ｃ０や洗濯乾燥機構成部品には温風が普通（集中せずに）に触れるので、この場合も、洗濯物に布縮み等の熱被害を与えず、洗濯乾燥機中の温風が触れる部分の構成部品に耐熱性の高いものを使用することを必要ともしない。
なお、保持部材５１は使用後取外して適宜保管されるものとする。又、この場合も、運転は、通常の乾燥運転又は除菌専用の運転のいずれであっても良い。
【００５７】
このほか、本発明は、既述の温風排出式の縦軸形洗濯乾燥機に適用されるだけでなく、温風循環式の縦軸形洗濯乾燥機、又はドラム式（横軸形）洗濯乾燥機にも同様に適用して実施することが可能である。
図１１はそのうちの温風循環式の縦軸形洗濯乾燥機を示しており、外箱６１の内部に、外槽６２を、複数本（１本のみ図示）の吊り棒６３ａを主体とする支持機構６３により、縦軸状にて揺動可能に支持して配設している。
【００５８】
外槽６２の内部には、洗濯物の洗濯と脱水及び乾燥に供する槽として多孔状の回転槽６４を、同じく縦軸状にて回転可能に配設しており、回転槽６４の内部には撹拌体６５を同じく回転可能に配設している。外槽６２の外下方部には、駆動装置としてモータ６６を取付けている。このモータ６６は、例えばアウターロータ形で、上記回転槽６４と撹拌体６５とを直接回転駆動し、その回転の切換えをするクラッチ等を内部に有している。
【００５９】
外槽６２の底部には排水口６７を形成しており、これに排水弁６８を接続口体６９を介して接続している。排水弁６８には排水ホース７０を接続し、この排水ホース７０の図示しない先端部側を外箱６１外に導出させている。又、外槽６２の下部の周側部（図で右側部）には、排気口７１を形成しており、この排気口７１に接続ダクト７２の一端部を接続している。接続ダクト７２は、縦方向に伸縮する蛇腹状部７２ａを有するもので、この接続ダクト７２の他端部に、熱交換器７３を接続している。
【００６０】
熱交換器７３はダクト管から成っており、この熱交換器７３の上部には注水受口７３ａを形成し、この注水受口７３ａから熱交換器７３内に注水することによって、該熱交換器７３内を水の流れと対向して通る空気を水と熱交換させて冷却し、除湿するようになっている。
【００６１】
熱交換器７３には、外箱６１上の後部カバー７４の内部において送気ダクト７５を接続し、この送気ダクト７５にフィルタ７６と、送風機７７、及びヒータ７８を後側から前側へ順に配設している。そして、送気ダクト７５には蛇腹状の上ダクト７９を接続し、この上ダクト７９の先端部を、外槽６２上の槽カバー８０の後部に形成した温風吹込口８１から外槽６２内に臨ませている。なお、槽カバー８０には、枠内の開口部を閉鎖する内蓋８２を設けており、外箱１上のトップカバー８３には、洗濯物出入口８４を形成すると共に、この出入口８４を開閉する蓋８５を枢着し、更に、該トップカバー８３の前部には、前述の制御装置２４に代わる制御手段である制御装置８６を配設している。
【００６２】
以上の構成で、洗濯時には、図示しない洗濯物を収容した回転槽６４内と外槽６２内とに洗濯物の量に応じた水を供給し貯留した状態で、撹拌体６５を回転させることにより、洗濯物を水と共に撹拌して洗濯（洗い、すすぎ）を行う。　　脱水時には、回転槽６４を回転させることにより、該回転槽６４内の洗濯物の水分を遠心力で周壁の多数の通孔６４ａから振り切り排出する。
【００６３】
そして、乾燥時には、回転槽６４と撹拌体６５とを例えば交互に回転させつつ、送風機７７を回転させると共に、ヒータ７８を発熱させ、更に熱交換器７３内に注水受口７３ａから注水する。このうち、送風機７７の回転によって、外槽６２内の空気が、実線矢印で示すように、排気口７１から接続ダクト７２を通って熱交換器７３内に吸入される。
【００６４】
熱交換器７３内に吸入された空気は、熱交換器７３内で、上記注水受口７３ａから破線矢印で示すように注入された水（水滴）と接触して熱交換（冷却）され、除湿される。そして、その除湿された空気が、その後、送気ダクト７５を通る過程で、含んだリントをフィルタ７６により除去された後、ヒータ７８により加熱されて温風化され、上ダクト７９を通じて外槽６２内に還流供給される。従って、この場合、送気ダクト７５と、送風機７７、ヒータ７８、及び上ダクト７９は、温風供給装置８７を構成する。
【００６５】
ここで、外槽６２内では、前記回転槽６４と撹拌体６５の回転により洗濯物が動かされている（洗濯物は、回転槽６４が回転したとき、回転槽６４の内周面に張り付かされ、撹拌体６５が回転したとき、上下に撹拌される）。従って、外槽６２内に送り込まれた温風は回転槽６４内の洗濯物と効率良く接触し、洗濯物の水分を蒸発させる。
【００６６】
そして、その洗濯物から蒸発した水分を含んだ空気が、その後、回転槽６４をその周壁の多数の通孔６４ａから出て、外槽６２の前記排気口７１から熱交換器７３内に吸入され、除湿されるということが繰り返されるものであり、かくして洗濯物を乾燥させる。
【００６７】
一方、図１２はドラム式洗濯乾燥機を示しており、外箱９１の内部に、外槽９２を、複数組（１組のみ図示）のサスペンション９３によって横軸状で且つ前上がり（図中左上がり）の傾斜状に弾性支持し、この外槽９２の内部に、洗濯物の洗濯と脱水及び乾燥に供する槽であるドラム９４を外槽９２と同軸状（横軸状で且つ前上がりの傾斜状）に配設している。
【００６８】
外槽９２の背部（図中右側）から上部にかけては、外槽９２内の空気を循環させる空気循環路９５を設けており、この空気循環路９５には、途中部（上部）に送風機９６とヒータ９７とを配設している。送風機９６は、外槽９２内の空気、ひいてはドラム９４内の空気を空気循環路９５を通じて矢印Ａで示すように循環させるもので、ヒータ９７は、その循環される空気を加熱するものであり、これらによって温風が生成され、この温風が外槽９２内に該外槽９２上部の温風吹込口９２ａから供給され、更に、ドラム９４の周側部の通孔９４ａからドラム９４内に供給される。従って、空気循環路９５と送風機９６及びヒータ９７は、ドラム９４内に温風を供給する温風供給装置９８を構成するものである。
【００６９】
空気循環路９５に対しては又、その上方に注水弁９９を設けており、この注水弁９９から注水チューブ１００を通じて供給される水を、空気循環路９５内で散水器１０１により矢印Ｂで示すように散水させて落下させ、この落下する水により、空気循環路９５内を上方へ通されるドラム９４内の空気を冷却して除湿するようになっている。従って、この場合、注水弁９９から注水チューブ１００及び散水器１０１は、空気循環路９５を通じて循環される外槽９２内の空気を冷却して除湿する冷却手段として機能するものである。
【００７０】
そして更に、外槽９２の背部には、モータ１０２（アウターロータ形）を取付け、このモータ１０２の回転軸１０２ａにドラム９４を取付けて、ドラム９４を回転させ、このドラム９４の回転により、洗濯物の洗濯（洗い、すすぎ）と、脱水、そして乾燥を行うようにしている（ドラム９４内に撹拌体は存在しない）。
【００７１】
更に、このドラム式の洗濯乾燥機において、１０３は外箱９１の前面部に形成した洗濯物出入口、１０４は洗濯物出入口１０３を開閉する扉、１０５は洗濯物出入口１０３と外槽９２内とを連ねるベロー、１０６は外槽９２内から排水する排水弁、１０７は排水ホース、１０８は外槽９２内の洗濯水を加熱するヒータ、１０９はドラム９４の内周部に設けたバッフル、１１０は外槽９２内に注水するための注水ケース、１１１は注水ケース１１０を通じて外槽９２内にもっぱら風呂の残り湯を供給する給水ポンプを示しており、そのほか、１１２は外箱９１の前上部に内設した、前述の制御装置２４に代わる制御手段である制御装置を示している。
【００７２】
以上の構成で、洗濯時には、図示しない洗濯物を収容したドラム９４内と外槽９２内とに洗濯物の量に応じた水を供給し貯留した状態で、ドラム９４を低速回転させることにより、洗濯物を水と共に撹拌して洗濯（洗い、すすぎ）を行う。脱水時には、ドラム９４を高速回転させることにより、該ドラム９４内の洗濯物の水分を遠心力で通孔９４ａから振り切り排出する。
【００７３】
そして、乾燥時には、ドラム９４を低速回転させつつ、送風機９６を回転させると共に、ヒータ９７を発熱させ、更に空気循環路９５内に散水器１０１から注水する。かくして、空気循環路９５を通じて循環される外槽９２内の空気を除湿すると共に、その除湿した空気を加熱して温風化し、この温風を外槽９２内に、更にはドラム９４内に供給する。
【００７４】
ここで、外槽９２内では、ドラム９４の回転により洗濯物が撹拌されており、従って、外槽６２内（ドラム９４内）に送り込まれた温風はドラム９４内の洗濯物と効率良く接触し、洗濯物の水分を蒸発させる。
そして、その洗濯物から蒸発した水分を含んだ空気が、その後、ドラム９４
をその周壁の多数の通孔９４ａから出て、空気循環路９５を通じて循環されることにより、除湿され、更に温風化されるということが繰り返されるものであり、かくして洗濯物を乾燥させる。
【００７５】
本発明は、このような温風循環式の縦軸形洗濯乾燥機やドラム式洗濯乾燥機に適用しても、前述同様の作用効果を得ることができる。
更にこのほか、本発明は上記し且つ図面に示した実施例にのみ限定されるものではなく、要旨を逸脱しない範囲内で適宜変更して実施し得る。
【００７６】
【発明の効果】
以上説明したように、本発明の洗濯乾燥機によれば、洗濯物を乾燥させ得るだけでなく、洗濯物の除菌までできるという著効を得ることができる。
【図面の簡単な説明】
【図１】本発明の第１実施例を示す乾燥行程の制御内容図
【図２】乾燥行程における温風の風量と温度との関係を示す図
【図３】洗濯乾燥機全体の縦断側面図
【図４】本発明の第２実施例を示す、乾燥行程（ａ）と第２の温風供給行程（ｂ）の制御内容図
【図５】本発明の第３実施例を示す電気的構成のブロック図
【図６】本発明の第４実施例を示す温風供給装置のヒータケース部分の斜視図
【図７】同部分の作用を説明するための横断面図その１
【図８】同部分の作用を説明するための横断面図その２
【図９】本発明の第５実施例を示すフローチャート
【図１０】本発明の第６実施例を示す主要部分の概略縦断側面図
【図１１】温風循環式縦軸形洗濯乾燥機の縦断側面図
【図１２】ドラム式洗濯乾燥機の縦断側面図
【符号の説明】
５は回転槽（槽）、７は撹拌体、１８は温風供給装置、２１はヒータ、２２は温風吹込口、３１はヒータ、４１はＰＴＣヒータ、４７は風向変更装置（風向変更手段）、５１は保持部材、６４は回転槽（槽）、６５は撹拌体、７８はヒータ、８１は温風吹込口、８７は温風供給装置、９２ａは温風吹込口、９４はドラム（槽）、９７はヒータ、９８は温風供給装置を示す。
【図１】
2004016265.tif 000003
【図２】
2004016265.tif 000004
【図３】
2004016265.tif 000005
【図４】
2004016265.tif 000006
【図５】
2004016265.tif 000007
【図６】
2004016265.tif 000008
【図７】
2004016265.tif 000009
【図８】
2004016265.tif 000010
【図９】
2004016265.tif 000011
【図１０】
2004016265.tif 000012
【図１１】
2004016265.tif 000013
【図１２】
2004016265.tif 000014